(57)【要約】【課題】本発明は、剣道の上達には欠かせない、竹刀（６）の持ち方、その中でも特に大切な左手の握り方を体得、矯正させるための補助器具である。左手の握り方は、小指（１５）と薬指（１４）をしっかり締め、親指（１１）や人差し指（１２）には力を入れてはいけないとされているが、これを体得させることは甚だ難しい。又、打突の際にも左手よりも右手に力が入りやすく、たとえ左手で打突が出来ても左手の親指（１１）や人差し指（１２）に力が入りやすく、脇の開いた打突になることが多い。本発明は、それを解決するための手段を提供する。【手段】竹刀の柄頭の部分（１０）から本発明品（８）を取り付ける。剣道を行う者は本発明品（８）よりも下部に左手の小指（１５）、薬指（１４）、（中指）（１３）を位置させるようにして、しっかりと握りしめる。左手の親指（１１）、人差し指（１２）は、強く握りしめずに、本発明品（８）の上に軽く置くようにして、構え、打突する。【選択図】図５
2005205134.tif 000002
【特許請求の範囲】
【請求項１】
剣道の初心者が、正しい左手の指の使い方を覚えるための補助器具。
【請求項２】
剣道の特に初心者の人が、発明品の中心線（３）に、親指（１１）と人差し指（１２）の中間点を置くことにより、左手を真上から正しく握れるようにするための補助器具。
【請求項３】
剣道の初、中級者で、打突の際に右手に力が入ってしまう人が、左手で打突をすることを意識し、左手で打つことを促すための補助器具。
【請求項４】
剣道の初、中、上級者で、打突の際に左手の親指（１１）と人差し指（１２）に力が入ってしまい、いわゆる脇の開いた打突をしてしまう人が、左手の小指（１５）、薬指（１４）を意識して締めることにより、伸びとスピードと重さと冴えのある打突を生み出すことが出来る補助器具。
【発明の詳細な説明】
【発明の詳細の説明】
【技術分野】
【０００１】  この発明は、剣道で特に大切な竹刀の正しい握り方を、覚えさせたり、あるいは矯正させるための補助器具であって、竹刀を構えたとき、あるいは打突をしたときの、剣道でいう「手の内の冴え」を生み出すものである。もちろん練習時に使用するものであり、試合で使用するものではない。
【背景技術】
【０００２】  従来、剣道で特に大切な左手の握り方（小指と薬指で竹刀をしめ、親指、人差し指には力を入れない）を矯正させるもの、あるいは左手を真上から正しく握ることが出来るものとしては、指導上の工夫や、柄皮の工夫はあっても、本発明のような補助器具の開発、販売はなされていない。
【発明が解決しようとする課題】
【０００３】  剣道を習ったことがない人が剣道を始めようとするとき、まず始めに教えられるのは、おそらく竹刀の持ち方であろう。しかしこれがなかなか難しい。頭の中では理解できても、いざ竹刀を握るとなると容易ではない。特に難しいのは左手の握り方であるが、その中でも、それぞれの指の力のいれ具合である。竹刀の持ち方は、「小指、薬指には十分な力を入れて持ち、親指や人差し指には力を入れてはいけない」とされている。これを特に未就学児や小、中学生に理解、体得させるということは本当に難しいことである。又、「竹刀を真上から持ちなさい」ということもよく言われることであるが、これもなかなか理解できない人が多い。次に、ある程度技術が進んだ人でも、相手との勝負の場面となると、右肩や、右腕、右手に力が入り、左手の動作がおろそかになってしまうことが多い。これは、日本人は右利きの人が多いということと、右手を前に持たなければいけないという剣道の特質から起因するものであると思う。さらに、右肩や右腕、右手に力が入らずに、ほぼ左手だけの力で打突が出来る人（有段者）であっても、相手との勝負の場面となるとやはり、左手の親指や人差し指に力が入ってしまい、それよりももっと大切な小指や薬指の力がぬけてしまい、左の脇が開き、小指、薬指を中心とした伸びと、スピードと、重みのある打突が出来なくなってしまうことも多い。これは、親指や人差し指の方が、小指や薬指と比べ、太く、長く、使用頻度も多く、より力が入れやすい指だからであろうと思う。
本発明は、以上の問題点を解決し、竹刀の正しい左手の握り方、特に左手の各指の使い方を理解、体得させると同時に、竹刀を真上から確実に握らせ、右手に力が入らない、左手での打突を促進し、さらに、左手の小指、薬指の締めからくる、伸び、スピード、重み等、「冴え」（剣道の専  門用語）のある打突を生み出せるように工夫されたものである。
【課題を解決する手段】
【０００４】  竹刀（６）の柄皮部（７）に発明品（８）を装着する。発明品はゴム製品であり弾力性があるので、手の大きさに合わせて自由な位置に固定できるように設計する。固定する位置は、原則として、発明品よりも下の柄皮部（９）に小指（１５）、薬指（１４）、中指（１３）の３本の指が入る場所とする。ただし、個人の好みにより、小指（１５）、薬指（１４）の２本の指が入る場所でもかまわない。本発明品（８）は一定の高さがあるので、本発明品（８）にかかる親指（１１）と人差し指（１２）には力が入りにくく、本発明品よりも下の柄皮部（９）にかかる小指（１５）、薬指（１４）、中指（１３）に力を入れないと竹刀（６）をうまく支えられないという仕組みになっている。
【発明を実施するための最良の形態】
【０００５】  以下、本発明の実施の形態を説明する。
（イ）竹刀の柄皮部（７）に、本発品（８）を取り付ける。
（ロ）取り付ける場所は、竹刀を正しく握ることを前提とし、本発明品（８）の位置に親指（１１）、人差し指（１２）がかかり、本発明品下部（９）の位置に小指（１５）、薬指（１４）、中指（１３）がかかる位置を原則とする。好みにより、中指（１３）の位置は、替えても良い。
（ハ）本発明品（８）は、ゴム製品であり、筒状の形状をなしている。
（ニ）本発明品（８）の内側のゴム部分（１）は、凹凸をなしていて、滑り止め機能となっている。
（ホ）本発明品（８）の前部には、朱色の縦線、中心線（３）が入っており、この部分に左手の親指（１１）と人差し指（１２）の中間点が来るように持つことにより、さらに基本正しい持ち方が出来るように工夫されている。
（ヘ）本発明品（８）の角部（２）にはやや丸みがあり、竹刀（６）を握ったときの感触がよりソフトになるように工夫されている。
（ト）本発明品の下部（５）は、やや薄く、上部の方（４）がやや厚くなっているが、これは下部から上部に行くに従い、指の位置が柄皮（７）から離れた、ゆとりのある、正しい握り方が出来るように工夫されているものである。
本発明は以上の構成よりなる。
本発明品（８）を使用する場合は、活動する１回ごとに本発明品（８）を柄皮部（７）に取り付け、終了したら取り外す。素手で竹刀（６）を使用する場合も篭手（１７）を付けて竹刀（６）を使用する場合もどちらも可能である。どちらの場合にも、努めて左手の小指（１５）と薬指（１４）に力を入れ、親指（１１）と人差し指（１２）の力は抜くようにすると、使用効果はさらにアップする。
【発明の効果】
【０００６】本発明品を使用する効果は主に次の４点である。
（ア）剣道の初心者については、竹刀を構えたときの左手の正しい握り方、特に各指の使い方が体得出来る。
（イ）剣道の初心者等で、竹刀を横から握ってしまう人については、竹刀を真上から握れるようになる。
（ウ）剣道の初心者、中級者で、打突の際に右手に力が入ってしまう人については、左手を中心とした打突が出来るようになる。
（エ）剣道の初心者、中級者、上級者で打突の際に左手の親指、人差し指に力が入ってしまい脇の開いた打突をしてしまう人については、小指、薬指が締まり、より伸びとスピードと重さと冴えのある正しい打突が出来るようになる。
【図面の簡単な説明】
【図１】  本発明の斜視図
【図２】  本発明の正面図
【図３】  本発明の真上から見た図
【図４】  本発明品を竹刀に取り付けた図
【図５】  本発明品を使用したときの、竹刀の握り方の図（横から見た図）
【図６】  本発明品を使用したときの、竹刀の握り方の図（上から見た図）
【図７】  本発明品を篭手を付けて使用したときの、竹刀の握り方の図（上から見た図）
【符号の説明】
（１）滑り止め、（２）発明品角部、（３）中心線、（４）発明品上部、（５）発明品下部、（６）竹刀、（７）柄皮部、（８）発明品、（９）発明品より柄下部、（１０）柄頭、（１１）左手親指（１２）左手人差し指、（１３）左手中指、（１４）左手薬指、（１５）左手小指（１６）柄皮のミシン目、（１７）篭手
【図１】
2005205134.tif 000003
【図２】
2005205134.tif 000004
【図３】
2005205134.tif 000005
【図４】
2005205134.tif 000006
【図５】
2005205134.tif 000007
【図６】
2005205134.tif 000008
【図７】
2005205134.tif 000009